(57)【要約】      （修正有）【課題】ユーザごとの検索履歴情報を簡便に管理可能な広告配信サーバにネットワークを介して接続されたユーザ端末等を提供する。【解決手段】ユーザ端末１は、検索入力画面を表示し、検索キーをコンテンツサーバ２に送信する。コンテンツサーバ２は、検索キーに基づいて、検索結果を生成する。コンテンツサーバ２は、検索キーを含めたＵＲＬを生成し、検索結果と検索履歴測定タグをユーザ端末１に送信する。ユーザ端末１は、コンテンツサーバ２から受信した検索結果を表示する。ユーザ端末１は、検索履歴測定タグに基づいて、受信したＵＲＬデータから検索キーを取得し、検索履歴情報とユーザＩＤとを広告配信サーバ３に送信する。広告配信サーバ３は、ユーザ端末１から受信した検索履歴情報等を記憶する。【選択図】図１
2015011481.tif 000002
【特許請求の範囲】
【請求項１】
受信した検索キーに基づいてコンテンツ情報を検索するとともに、前記コンテンツ情報と前記検索キーを示すデータと検索履歴測定タグとを返信するコンテンツサーバに、ネットワークを介して接続された検索履歴送信端末であって、
前記検索キーを入力する入力手段と、
前記検索キーを前記コンテンツサーバに送信する検索キー送信手段と、
前記コンテンツサーバから前記コンテンツ情報と前記検索キーを示すデータと前記検索履歴測定タグとを受信する検索結果受信手段と、
前記コンテンツ情報を表示する表示手段と、
前記検索履歴測定タグに基づいて、処理を行うタグ処理手段と、
を備えることを特徴とする検索履歴送信端末。
【請求項２】
前記検索履歴測定タグに基づく前記処理は、
前記検索キーを示すデータから、検索履歴情報を取得する処理と、
広告配信サーバに、識別情報と、前記検索履歴情報とを送信する処理と、
であることを特徴とする請求項１に記載の検索履歴送信端末。
【請求項３】
前記検索履歴測定タグに基づく前記処理は、当該検索履歴測定タグに含まれる情報に基づいて、外部サーバから取得したものである
ことを特徴とする請求項１又は請求項２に記載の検索履歴送信端末。
【請求項４】
前記検索キーは、１または複数の検索パラメータに対応するパラメータ値であり、
前記検索キーを示すデータは、前記検索パラメータと前記パラメータ値とを含むＵＲＬ（Uniform Resource Locator）である
ことを特徴とする請求項１から請求項３のいずれかに記載の検索履歴送信端末。
【請求項５】
前記識別情報は、当該検索履歴送信端末を一意に識別するユーザＩＤと当該検索履歴送信端末の地域属性を含む
ことを特徴とする請求項２に記載の検索履歴送信端末。
【請求項６】
前記広告配信サーバは、
広告情報を記憶する広告情報記憶手段と、
前記検索履歴情報に基づいて前記識別情報を分類する識別情報分類手段と、
分類した前記識別情報ごとに前記広告情報を前記検索履歴送信端末に配信する広告情報配信手段と、
を備えることを特徴とする請求項２又は請求項５に記載の検索履歴送信端末。
【請求項７】
受信した検索キーに基づいてコンテンツ情報を検索するとともに、前記コンテンツ情報と前記検索キーを示すデータと検索履歴測定タグとを返信するコンテンツサーバに、ネットワークを介して接続された検索履歴送信端末で行われる検索履歴送信方法であって、
前記検索キーを入力する入力ステップと、
前記検索キーを前記コンテンツサーバに送信する検索キー送信ステップと、
前記コンテンツサーバから前記コンテンツ情報と前記検索キーを示すデータと前記検索履歴測定タグとを受信する検索結果受信ステップと、
前記コンテンツ情報を表示する表示ステップと、
前記検索履歴測定タグに基づいて、処理を行うタグ処理ステップと、
を含むことを特徴とする検索履歴送信方法。
【請求項８】
コンピュータを、受信した検索キーに基づいてコンテンツ情報を検索するとともに、前記コンテンツ情報と前記検索キーを示すデータと検索履歴測定タグとを返信するコンテンツサーバに、ネットワークを介して接続された検索履歴送信端末として機能させるためのプログラムであって、
前記コンピュータを、
前記検索キーを入力する入力手段、
前記検索キーを前記コンテンツサーバに送信する検索キー送信手段、
前記コンテンツサーバから前記コンテンツ情報と前記検索キーを示すデータと前記検索履歴測定タグとを受信する検索結果受信手段、
前記コンテンツ情報を表示する表示手段、
前記検索履歴測定タグに基づいて、処理を行うタグ処理手段、
として機能させるためのプログラム。
【請求項９】
コンテンツサーバと、検索履歴送信端末とがネットワークを介して接続された検索履歴取得システムであって、
前記コンテンツサーバは、
コンテンツ情報と検索履歴測定タグとを記憶する記憶手段と、
前記検索履歴送信端末から検索キーを受信する検索キー受信手段と、
前記検索キーに基づいて前記コンテンツ情報を検索する検索手段と、
検索された前記コンテンツ情報と前記検索キーを示すデータと前記検索履歴測定タグとを前記検索履歴送信端末に送信する検索結果送信手段と、
を備え、
前記検索履歴送信端末は、
前記検索キーを入力する入力手段と、
前記検索キーを前記コンテンツサーバに送信する検索キー送信手段と、
前記コンテンツサーバから前記コンテンツ情報と前記検索キーを示すデータと前記検索履歴測定タグとを受信する検索結果受信手段と、
前記コンテンツ情報を表示する表示手段と、
前記検索履歴測定タグに基づいて、処理を行うタグ処理手段と、
を備える
ことを特徴とする検索履歴取得システム。
【請求項１０】
検索履歴送信端末とネットワークを介して接続されたコンテンツサーバであって、
コンテンツ情報と検索履歴測定タグとを記憶する記憶手段と、
前記検索履歴送信端末から検索キーを受信する検索キー受信手段と、
前記検索キーに基づいて前記コンテンツ情報を検索する検索手段と、
検索された前記コンテンツ情報と前記検索キーを示すデータと前記検索履歴測定タグとを前記検索履歴送信端末に送信する検索結果送信手段と、
を備えることを特徴とするコンテンツサーバ。
【発明の詳細な説明】
【技術分野】
【０００１】
本発明は、コンテンツサーバにおいて検索した検索履歴情報を、広告配信サーバに送信する検索履歴送信端末等に関するものである。
【背景技術】
【０００２】
近年、ユーザ端末を利用するユーザのｗｅｂページの閲覧やｗｅｂサイトでの検索などの行動履歴に基づいて、ユーザの興味や関心に合わせたインターネット広告を配信する行動ターゲティング広告が普及している。広告を配信する広告依頼主は、行動履歴からユーザの細やかなニーズを取得して、より広告配信効果の高いユーザに絞って広告を配信したいという要望がある。
【０００３】
特許文献１では、利用者ごとに、その利用者が過去に行った検索要求と当該要求に応じて得られた検索結果の情報とを関連づけて、検索履歴として保持する情報検索システムが提案されている。
【０００４】
また、特許文献２では、入力されたキーワード等の検索条件に基づいて検索した検索履歴を保存し、検索条件や検索者の属性情報をキーとして検索履歴の中から所定の検索履歴を出力する情報検索装置等が提案されている。
【先行技術文献】
【特許文献】
【０００５】
【特許文献１】特開２００３−１５７２５９号公報
【特許文献２】特開２０００−２２２４２４号公報
【発明の概要】
【発明が解決しようとする課題】
【０００６】
しかしながら、上述の非特許文献１では、ユーザ端末は中間サーバを介してコンテンツサーバ内のコンテンツを検索するため、ネットワーク構築が複雑となる。  上述の非特許文献２では、情報検索装置が検索履歴を単純に保存することに留まる。
【０００７】
また、ユーザが閲覧したコンテンツや入力した検索キーワードと紐づけて広告配信サーバに保存させることも可能である。しかしながら、広告配信の際には、ユーザの興味や関心に合わせてセグメント化する必要があり、検索履歴の情報量が増加する程参照に手間取り、利便性が悪い。
【０００８】
本発明は、前述した問題点に鑑みてなされたものであり、その目的とすることは、ユーザごとの検索履歴情報を管理可能な広告配信サーバに、ユーザごとの検索履歴情報を簡便に送信可能なユーザ端末を提供することである。
【課題を解決するための手段】
【０００９】
前述した課題を解決するために第１の発明は、受信した検索キーに基づいてコンテンツ情報を検索するとともに、前記コンテンツ情報と前記検索キーを示すデータと検索履歴測定タグとを返信するコンテンツサーバに、ネットワークを介して接続された検索履歴送信端末であって、前記検索キーを入力する入力手段と、前記検索キーを前記コンテンツサーバに送信する検索キー送信手段と、前記コンテンツサーバから前記コンテンツ情報と前記検索キーを示すデータと前記検索履歴測定タグとを受信する検索結果受信手段と、前記コンテンツ情報を表示する表示手段と、前記検索履歴測定タグに基づいて、処理を行うタグ処理手段と、を備えることを特徴とする検索履歴送信端末である。
第１の発明によれば、検索履歴送信端末のユーザがコンテンツサーバを利用して検索した検索条件を、検索履歴測定タグに基づいて処理を行うことが可能となる。これにより、広告配信サーバ側で検索履歴をユーザと紐づけて簡便に管理することが可能となり、広告配信サーバは、検索履歴に基づいてユーザごとの嗜好を捕捉することが可能となる。
【００１０】
また、前記検索履歴測定タグに基づく前記処理は、前記検索キーを示すデータから、検索履歴情報を取得する処理と、広告配信サーバに、識別情報と、前記検索履歴情報とを送信する処理と、であることが望ましい。
これにより、広告配信サーバに、識別情報と、検索キーを示すデータから取得した検索履歴情報を送信することができる。
【００１１】
また、前記検索履歴測定タグに基づく前記処理は、当該検索履歴測定タグに含まれる情報に基づいて、外部サーバから取得したものであることが望ましい。
これにより、外部サーバにおいて、検索履歴測定タグに基づく処理を変更することができる。
【００１２】
また、前記検索キーは、１または複数の検索パラメータに対応するパラメータ値であり、前記検索キーを示すデータは、前記検索パラメータと前記パラメータ値とを含むＵＲＬ（Uniform Resource Locator）であることが望ましい。
これにより、検索パラメータに対応するパラメータ値を示すＵＲＬから検索履歴を取得することが可能となる。
【００１３】
また、前記識別情報は、当該端末装置を一意に識別するユーザＩＤと当該端末装置の地域属性を含むことが望ましい。
これにより、ユーザが属する地域（例えば、都道府県毎）によってユーザを振り分けることが可能となり、ターゲットに絞り込んだ広告配信が可能となる。
【００１４】
また、前記広告配信サーバは、広告情報を記憶する広告情報記憶手段と、前記検索履歴情報に基づいて前記識別情報を分類する識別情報分類手段と、分類した前記識別情報ごとに前記広告情報を前記検索履歴送信端末に配信する広告情報配信手段と、を備えることが望ましい。
これにより、広告配信サーバは、検索履歴情報に基づいてユーザをセグメント化し、セグメント化されたユーザの嗜好に合わせた広告を配信することが可能となる。
【００１５】
第２の発明は、受信した検索キーに基づいてコンテンツ情報を検索するとともに、前記コンテンツ情報と前記検索キーを示すデータと検索履歴測定タグとを返信するコンテンツサーバに、ネットワークを介して接続された検索履歴送信端末で行われる検索履歴送信方法であって、前記検索キーを入力する入力ステップと、前記検索キーを前記コンテンツサーバに送信する検索キー送信ステップと、前記コンテンツサーバから前記コンテンツ情報と前記検索キーを示すデータと前記検索履歴測定タグとを受信する検索結果受信ステップと、前記コンテンツ情報を表示する表示ステップと、前記検索履歴測定タグに基づいて、処理を行うタグ処理ステップと、を含むことを特徴とする検索履歴送信方法である。
第２の発明によれば、検索履歴送信端末のユーザがコンテンツサーバを利用して検索した検索条件を、検索履歴測定タグに基づいて処理を行うことが可能となる。これにより、広告配信サーバ側で検索履歴をユーザと紐づけて簡便に管理することが可能となり、広告配信サーバは、検索履歴に基づいてユーザごとの嗜好を捕捉することが可能となる。
【００１６】
第３の発明は、コンピュータを、受信した検索キーに基づいてコンテンツ情報を検索するとともに、前記コンテンツ情報と前記検索キーを示すデータと検索履歴測定タグとを返信するコンテンツサーバに、ネットワークを介して接続された検索履歴送信端末として機能させるためのプログラムであって、前記コンピュータを、前記検索キーを入力する入力手段、前記検索キーを前記コンテンツサーバに送信する検索キー送信手段、前記コンテンツサーバから前記コンテンツ情報と前記検索キーを示すデータと前記検索履歴測定タグとを受信する検索結果受信手段、前記コンテンツ情報を表示する表示手段、前記検索履歴測定タグに基づいて、処理を行うタグ処理手段、として機能させるためのプログラムである。
第３の発明を汎用コンピュータにインストールすることにより、第１の発明を得て、第２の発明を実行することができる。
【００１７】
第４の発明は、コンテンツサーバと、検索履歴送信端末とがネットワークを介して接続された検索履歴取得システムであって、前記コンテンツサーバは、コンテンツ情報と検索履歴測定タグとを記憶する記憶手段と、前記検索履歴送信端末から検索キーを受信する検索キー受信手段と、前記検索キーに基づいて前記コンテンツ情報を検索する検索手段と、検索された前記コンテンツ情報と前記検索キーを示すデータと前記検索履歴測定タグとを前記検索履歴送信端末に送信する検索結果送信手段と、を備え、前記検索履歴送信端末は、前記検索キーを入力する入力手段と、前記検索キーを前記コンテンツサーバに送信する検索キー送信手段と、前記コンテンツサーバから前記コンテンツ情報と前記検索キーを示すデータと前記検索履歴測定タグとを受信する検索結果受信手段と、前記コンテンツ情報を表示する表示手段と、前記検索履歴測定タグに基づいて、処理を行うタグ処理手段と、を備えることを特徴とする検索履歴取得システムである。
第４の発明によれば、検索履歴送信端末のユーザがコンテンツサーバを利用して検索した検索条件を、広告配信サーバ側でユーザと紐づけて簡便に管理することが可能となる。これにより広告配信サーバは、検索履歴に基づいてユーザごとの嗜好を捕捉することが可能である。
【００１８】
第５の発明は、検索履歴送信端末とネットワークを介して接続されたコンテンツサーバであって、コンテンツ情報と検索履歴測定タグとを記憶する記憶手段と、前記検索履歴送信端末から検索キーを受信する検索キー受信手段と、前記検索キーに基づいて前記コンテンツ情報を検索する検索手段と、検索された前記コンテンツ情報と前記検索キーを示すデータと前記検索履歴測定タグとを前記検索履歴送信端末に送信する検索結果送信手段と、を備えることを特徴とするコンテンツサーバである。
第５の発明によれば、検索履歴送信端末のユーザがコンテンツサーバを利用して検索した検索条件を、広告配信サーバ側でユーザと紐づけて簡便に管理することが可能となる。これにより広告配信サーバは、検索履歴に基づいてユーザごとの嗜好を捕捉することが可能である。
【発明の効果】
【００１９】
本発明によれば、ユーザごとの検索履歴情報を管理可能な広告配信サーバに、ユーザごとの検索履歴情報を簡便に送信可能なユーザ端末を提供することが可能となる。
【図面の簡単な説明】
【００２０】
【図１】本発明に係る広告配信システムの全体構成例を示す図
【図２】本発明に係るユーザ端末（コンテンツサーバ、広告配信サーバ）のハードウエアの構成例を示すブロック図
【図３】コンテンツサーバの記憶部に記憶される情報の一例を示す図
【図４】広告配信サーバの記憶部に記憶されるデータベースを示す図
【図５】ユーザ情報データベースに記憶される情報の一例を示す図
【図６】検索履歴情報データベースに記憶される情報の一例を示す図
【図７】検索キー情報の詳細例を示す図
【図８】第１の実施形態に係る検索履歴取得処理の詳細を説明するフローチャート
【図９】検索入力画面の一例を示す図
【図１０】ＵＲＬデータの一例を示す図
【図１１】検索履歴測定タグの一例を示す図
【図１２】検索結果画面の一例を示す図
【図１３】検索結果画面の一例を示す図
【図１４】第２の実施形態に係る検索履歴取得処理の詳細を説明するフローチャート
【発明を実施するための形態】
【００２１】
以下、図面に基づいて、本発明の好適な実施形態について詳細に説明する。
まず、図１〜図７を参照して本発明の構成について説明する。
【００２２】
図１は、本発明に係る広告配信システム１００のシステム構成例を示す図である。図１に示す様に、ユーザが利用する複数のユーザ端末１（１ａ、１ｂ）、コンテンツサーバ２、広告配信サーバ３がネットワーク４を介して互いに通信接続されて構成される。
【００２３】
本実施形態では、ユーザが入力したタイヤの検索条件に合わせたタイヤ情報をユーザに提供するタイヤ検索サービスにて広告配信システム１００を利用する例について説明する。タイヤ検索サービスに用いられた検索条件に基づいて、広告配信サーバ３は検索者（ユーザ）をセグメント（区分、区別）化し、ユーザの嗜好に合わせた広告をユーザに配信する。
なお、タイヤ検索サービスに限らず、ユーザが入力した条件に合わせて、情報をユーザに提供するシステムであれば、どのようなものに対しても本実施形態は適用可能である。
【００２４】
ユーザ端末１は、ユーザが利用するコンピュータであり、ｗｅｂブラウザがインストールされている。ユーザ端末１はｗｅｂブラウザを介してタイヤ検索サービスを提供するサイトのコンテンツサーバ２へのアクセスが可能となる。ユーザ端末１がコンテンツサーバ２にアクセスすると、検索入力画面４０（図９参照）をユーザ端末１の表示部に表示する。
【００２５】
ユーザ端末１は、コンテンツサーバ２から受信した検索結果画面（図示せず）や、広告配信サーバ３から受信した広告画面（図示せず）を表示部に表示する。
【００２６】
ユーザ端末１は、汎用なコンピュータに代えて、携帯端末、モバイル端末などであっても良い。
【００２７】
コンテンツサーバ２は、タイヤ検索サービスを提供するサイトのサーバ装置であり、コンテンツ情報データベース（ＤＢ）２１や検索履歴測定タグ２２を管理する。詳細は後述する。
【００２８】
また、広告配信システム１００は、個々に異なる検索サービスを提供するサイトを提供する複数のコンテンツサーバ２とネットワーク４を介して接続されていても良い。各サイトに共通するユーザ識別子を利用することで、広告配信サーバ３は、ユーザ情報と複数のサイトにて検索された検索履歴とを紐づけて記憶することが可能となり、これにより１つのサイトからでは分かり得なかったユーザのニーズを推測することが可能なる。
【００２９】
広告配信サーバ３は、ユーザごとの検索履歴情報を管理するサーバ装置であり、ユーザ情報データベース（ＤＢ）３１や検索履歴情報データベース（ＤＢ）３２を保持する。詳細は後述する。
【００３０】
図２は、本発明の実施形態に係るユーザ端末１（コンテンツサーバ２、広告配信サーバ３）を実現するコンピュータのハードウエア構成図である。コンピュータは、図２に示すように、例えば、制御部１１、記憶部１２、メディア入出力部１３、通信制御部１４、入力部１５、表示部１６、周辺機器Ｉ／Ｆ部１７等が、バス１８を介して接続されて構成される。
【００３１】
制御部１１は、ＣＰＵ（Central
Processing Unit）、ＲＯＭ（Read Only Memory）、ＲＡＭ（Random Access Memory）等により構成される。
ＣＰＵは、記憶部１２、ＲＯＭ、記憶媒体等に格納されるプログラムをＲＡＭ上のワークメモリ領域に呼び出して実行し、バス１８を介して接続された各装置を駆動制御し、ユーザ端末１（コンテンツサーバ２、広告配信サーバ３）が行う後述する処理を実現する。ＲＯＭは、不揮発性メモリであり、コンピュータのブートプログラムやＢＩＯＳ等のプログラム、データ等を恒久的に保持する。ＲＡＭは、揮発性メモリであり、ロードしたプログラムや、データ等を一時的に保持すると共に、制御部１１が各処理を行うために使用するワークエリアを備える。
【００３２】
記憶部１２は、ＨＤＤ（Hard
Disk Drive）等であり、制御部１１が実行するプログラムや、プログラム実行に必要なデータ、ＯＳ（Operating
System）等が格納されている。これらのプログラムコードは、制御部１１により必要に応じて読み出されてＲＡＭに移され、ＣＰＵに読み出されて実行される。
【００３３】
メディア入出力部１３は、例えば、ＣＤドライブ、ＤＶＤドライブ、ＭＯドライブ、フロッピー（登録商標）ディスクドライブ、等のメディア入出力装置であり、画像等のデータの入出力を行う。
通信制御部１４は、通信制御装置、通信ポート等を有し、コンピュータとネットワーク４間の通信を媒介する通信インターフェースであり、ネットワーク４を介して、他の装置間との通信制御を行う。ネットワーク４は有線、無線を問わない。
【００３４】
入力部１５は、データ入力を行い、例えば、キーボード、マウスなどのポインティングデバイス、テンキーなどの入力装置を有する。入力されたデータを制御部１１へ出力する。
表示部１６は、例えば、ＣＲＴモニタ、液晶パネル等のディスプレイ装置と、ディスプレイ装置と連携して表示処理を実行するための論理回路（ビデオアダプタ等）で構成され、制御部１１の制御により入力された表示情報をディスプレイ装置上に表示させる。
尚、入力部１５と表示部１６は、それらの機能が一体化した、例えば、タッチパネル付ディスプレイであっても良い。
【００３５】
周辺機器Ｉ／Ｆ部（インターフェース）１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は、有線、無線を問わない。
バス１８は、各装置間の制御信号、データ信号等の授受を媒介する経路である。
【００３６】
図３は、コンテンツサーバ２の記憶部１２に記憶される情報の一例である。
図３に示すように、コンテンツサーバ２の記憶部１２は、コンテンツ情報データベース（ＤＢ）２１、検索履歴測定タグ２２を記憶している。
【００３７】
コンテンツ情報データベース２１は、タイヤに関するコンテンツ情報をタイヤごとに記憶する。
【００３８】
コンテンツ情報データベース２１は、ネットワーク４に接続される別のサーバ装置（図示せず）に記憶されていても良く、その場合は、コンテンツサーバ２は、コンテンツ情報データベース２１を管理するサーバ装置にアクセスして、検索条件に合うコンテンツ情報を受信する。
【００３９】
検索履歴測定タグ２２は、ｗｅｂページを構成するソースコードに埋め込まれたコードであり、例えば、ＨＴＭＬ（Hypertext Markup Language）及びＪａｖａＳｃｒｉｐｔ（登録商標）によって記述される。ユーザ端末１は、検索履歴測定タグ２２を利用して検索キーを含むＵＲＬから検索キー情報３２Ｄ（図７参照）を取得して、広告配信サーバ３に送信することが可能となる。
【００４０】
図４は、広告配信サーバ３の記憶部１２に記憶されるデータベースを示す図である。
図４に示すように、広告配信サーバ３の記憶部１２は、ユーザ情報データベース（ＤＢ）３１、検索履歴情報データベース（ＤＢ）３２を記憶している。
【００４１】
ユーザ情報データベース３１は、図５に示すように、ユーザＩＤ３１Ａ、エリア属性３１Ｂなどの情報を、ユーザ毎に管理する。
【００４２】
ユーザＩＤ３１Ａとは、ユーザが利用するユーザ端末１の端末識別子、またはユーザ端末１にインストールされるｗｅｂブラウザを一意に識別するブラウザ識別子である。端末識別子とは、例えば、ＩＰアドレス、携帯端末の個体識別番号である。ブラウザ識別子とは、例えば、ユーザ端末１が広告配信サーバ３（コンテンツサーバ２）にアクセスした際に送信されるブラウザ情報や、初めてコンテンツサーバ２にアクセスしたｗｅｂブラウザに対してコンテンツサーバ２が自動的に発行するアクセスキーである。
【００４３】
エリア属性３１Ｂとは、ユーザが利用するユーザ端末１が属する地域を示す情報であり、例えば、ユーザ端末１のアクセス元のＩＰアドレスから解析されるＩＰポイント、携帯端末の場合には位置情報である。
【００４４】
ユーザ情報データベース３１は、エリア属性３１Ｂの他に、例えば、ブラウザ情報（ブラウザ名、ブラウザのバージョン番号、ブラウザの使用言語、等）、ＯＳ情報（ＯＳ名、ＯＳの使用言語、等）をユーザ情報として管理しても良い。
【００４５】
検索履歴情報データベース３２は、図６に示すように、ユーザＩＤ３２Ａ、検索履歴ＩＤ３２Ｂ、検索日時３２Ｃ、検索キー情報３２Ｄなどの情報を、検索履歴ごとに管理する。検索履歴情報データベース３２に記憶される情報は、図８（図１２）に示す検索履歴取得処理を実行して、ユーザ端末１の検索履歴情報を受信した場合に新たに追加される。検索履歴ＩＤ３２Ａは検索履歴を識別する識別子であり、ユーザＩＤ３２Ｂはユーザ情報データベース３１のユーザＩＤ３１Ａと紐付けられる。検索日時３２Ｃは、検索履歴取得処理にて検索履歴情報を受信した日時である。
【００４６】
検索キー情報３２Ｄは、例えば、図７に示すように、検索条件の種類を示すパラメータ名３３と、パラメータ名に対応する入力値を示すフラグ３４を含む。
【００４７】
検索履歴情報データベース３２は、ユーザが検索に利用したサイトを識別する情報等を含んでも良い。
【００４８】
（第１の実施形態に係る検索履歴取得処理）
続いて、図８〜図１１を参照して、広告配信システム１００が実行する検索履歴取得処理を説明する。検索履歴取得処理とは、ユーザ端末１がコンテンツサーバ２を介して検索した際に利用した検索条件を含む検索履歴情報をユーザ端末１が送信して、広告配信サーバ３が取得する処理である。
【００４９】
図８は、第１の実施形態に係る検索履歴取得処理を説明するフローチャートである。
ユーザ端末１の制御部１１は、コンテンツサーバ２にアクセスして、ユーザ端末１の表示部１６に検索入力画面４０を表示し（ステップＳ１０１）、入力部１５を介して検索キーの入力を受付ける（ステップＳ１０２）。
【００５０】
図９は、検索入力画面４０の画面例である。
検索入力画面４０には、タイヤを車条件から探す検索条件入力部４１と、タイヤをサイズ条件から探す検索条件入力部４２が配置される。
【００５１】
車条件から探す検索条件入力部４１には、メーカー４３Ａが予め決められた選択肢の中からボタン４３Ｃを操作して選択されるメーカー入力部４３Ｂと、車種４４Ａが予め決められた選択肢の中からボタン４４Ｃを操作して選択される車種入力部４４Ｂと、型式４５Ａが予め決められた選択肢の中からボタン４５Ｃを操作して選択される型式入力部４５Ｂと、年式４６Ａが予め決められ選択肢の中からボタン４６Ｃを操作して選択される年式入力部４６Ｂとが配置され、検索ボタン４７がユーザによって押下されると、選択された検索条件がコンテンツサーバ２に送信される。
【００５２】
サイズ条件から探す検索条件入力部４２には、タイヤ幅６１Ａが予め決められた選択肢の中からボタン６１Ｃを操作して選択されるタイヤ幅入力部６１Ｂと、扁平率６２Ａが予め決められた選択肢の中からボタン６２Ｃを操作して選択される扁平率入力部６２Ｂと、リム径６３Ａが予め決められた選択肢の中からボタン６３Ｃを操作して選択されるリム径入力部６３Ｂが配置され、検索ボタン６４がユーザによって押下されると、選択された検索条件がコンテンツサーバ２に送信される。
【００５３】
ユーザ端末１の制御部１１は、ｗｅｂブラウザを介して、各パラメータ（図９に示す例では、メーカー４３Ａ、車種４４Ａ、型式４５Ａ、年式４６Ａ等である）に対応して選択されたフラグ（以下、これらを合わせて「検索キー」と表記することもある）を含むＨＴＴＰ（Hyper Transfer Protocol）リクエストを、コンテンツサーバ２に送信する（ステップＳ１０３）。
【００５４】
コンテンツサーバ２の制御部１１は、検索キー含むＨＴＴＰリクエストを受信して（ステップＳ１０４）、対応するコンテンツ情報をコンテンツ情報データベース２１から読み出して検索結果を生成する（ステップＳ１０５）。
【００５５】
コンテンツサーバ２の制御部１１は、検索キーを含めたＵＲＬを生成する（ステップＳ１０６）。ここでのＵＲＬは、「http://***.jp/パラメータ名１＆フラグ１/パラメータ名２＆フラグ２」に示す様に、パラメータ名とフラグを含む。
【００５６】
図１０は、ＵＲＬの一例である。図１０の（ａ）は、図９の検索条件入力部４１を利用してタイヤが検索された場合に生成されるＵＲＬの例であり、メーカー５１Ａに対応するメーカーフラグ５１Ｂ、車種５２Ａに対応する車種フラグ５２Ｂ、型式５３Ａに対応する型式フラグ５３Ｂ、年式５４Ａに対応する年式フラグ５４Ｂを含む。
【００５７】
図１０の（ｂ）は、図９の検索条件入力部４２を利用してタイヤが検索された場合に生成されるＵＲＬの例であり、タイヤ幅７１Ａに対応するタイヤ幅フラグ７１Ｂ、扁平率７２Ａに対応する扁平率フラグ７２Ｂ、リム径７３Ａに対応するリム径フラグ７３Ｂを含む。
【００５８】
コンテンツサーバ２の制御部１１は、ステップＳ１０５の検索結果と記憶部１２に記憶される検索履歴測定タグ２２とからＨＴＭＬを生成して、ＨＴＴＰレスポンスとして、ユーザ端末１に送信する（ステップＳ１０７）。ここでのＵＲＬは、ステップＳ１０６にて生成したＵＲＬである。
【００５９】
図１１は、検索履歴測定タグ２２の一例である。検索履歴測定タグ２２には、ＵＲＬから検索キーを取得するプログラムと、取得した検索キーとユーザＩＤとを広告配信サーバ３に送信するプログラムが埋め込まれている。
【００６０】
具体的には、検索履歴測定タグ２２は、ｗｅｂブラウザによって解釈されると、所定の外部サーバ（本例では、「www.eco-tag.jp」又は「cf.eco-tag.jp」）の所定のスクリプトの内容（本例では、「pix-goodyear-min.js」）に書き換えられて実行される。
本実施形態での所定のスクリプトの内容は、当該検索履歴測定タグ２２が含まれるＨＴＭＬを表示しているＵＲＬから検索キーを取得し、取得した検索キーとユーザＩＤとを広告配信サーバ３に送信するというものである。
【００６１】
ユーザ端末１の制御部１１は、コンテンツサーバ２からデータを受信し（ステップＳ１０８）、検索履歴測定タグ２２を読み込む（ステップＳ１０９）。ユーザ端末１の制御部１１は、受信した検索結果画面８０、８１を表示部１６に出力する（ステップＳ１１０）。
【００６２】
図１２は、検索結果画面８０の一例である。検索結果画面８０は、図９の検索条件入力部４１を利用してタイヤが検索された場合に、検索結果としてユーザ端末１の表示部１６に表示される。検索結果画面８０には、該当するタイヤの詳細情報が表示される。
【００６３】
図１３は、検索結果画面８１の一例である。検索結果画面８１は、図９の検索条件入力部４２を利用してタイヤが検索された場合に、検索結果としてユーザ端末１の表示部１６に表示される。検索結果画面８１には、該当するタイヤの詳細情報が表示される。
【００６４】
ユーザ端末１の制御部１１は、検索履歴測定タグ２２に基づいて、受信したＵＲＬデータから検索キーを取得し（ステップＳ１１１）、ユーザ端末１の記憶部１２に記憶されるユーザＩＤを合わせた検索履歴情報を生成し、広告配信サーバ３に送信する（ステップＳ１１２）。
【００６５】
広告配信サーバ３の制御部１１は、ユーザ端末１からデータを受信する（ステップＳ１１３）。広告配信サーバ３の制御部１１は、受信したデータに検索履歴ＩＤ３２Ｂを付与し、データを受信した日時（検索日時３２Ｃ）、検索キー情報３２Ｄと合わせて、検索履歴情報データベース３２に記憶する。広告配信サーバ３の制御部１１は、ユーザ端末１のＩＰアドレスからエリア属性を測定し、受信したユーザＩＤとエリア属性とをユーザ情報データベース３１に記憶し（ステップＳ１１４）、処理を終了する。
【００６６】
なお、広告配信サーバ３は、この後、取得したユーザ情報データベース３１の情報、及び、検索履歴情報データベース３２の情報を用いて、適宜、ユーザの嗜好にあったＷｅｂ広告を配信することができる。
【００６７】
（第２の実施形態に係る検索履歴取得処理）
続いて、図１４を参照して、第２の実施形態に係る検索履歴取得処理を説明する。第２の実施形態では、コンテンツサーバ２から広告配信サーバ３に、検索履歴情報が送信される。
【００６８】
ユーザ端末１の制御部１１は、コンテンツサーバ２にアクセスして、ユーザ端末１の表示部１６に検索入力画面４０（図９参照）を表示し（ステップＳ２０１）、入力部１５を介して検索キーの入力を受付ける（ステップＳ２０２）。
【００６９】
ユーザ端末１の制御部１１は、ｗｅｂブラウザを介して、検索キーと記憶部１２に記憶されるユーザＩＤとを含むＨＴＴＰリクエストを、コンテンツサーバ２に送信する（ステップＳ２０３）。
【００７０】
コンテンツサーバ２の制御部１１は、ＨＴＴＰリクエストを受信して（ステップＳ２０４）、対応するコンテンツ情報をコンテンツ情報データベース２１から読み出して検索結果を生成する（ステップＳ２０５）。
【００７１】
コンテンツサーバ２の制御部１１は、検索キーを含めたＵＲＬを生成し（ステップＳ２０６）、記憶部１２に記憶される検索履歴測定タグ２２を読み込む（スステップＳ２０７）。
【００７２】
コンテンツサーバ２の制御部１１は、検索履歴測定タグ２２に基づいて、生成したＵＲＬから検索キーを取得し、受信したユーザＩＤと検索キーとを含む検索履歴情報を生成し（ステップＳ２０８）、広告配信サーバ３に送信する（ステップＳ２０９）。
【００７３】
広告配信サーバ３の制御部１１は、コンテンツサーバ２からデータを受信し（ステップＳ２１０）、検索履歴情報データベース３２とユーザ情報データベース３１に記憶する（ステップＳ２１１）。
【００７４】
コンテンツサーバ２の制御部１１は、ステップＳ２０５の検索結果を、ＨＴＴＰレスポンスとして、ユーザ端末１に送信する（ステップＳ２１２）。
【００７５】
ユーザ端末１の制御部１１は、コンテンツサーバ２からデータを受信し（ステップＳ２１３）、検索結果画面８０、８１を表示部１６に出力して（ステップＳ２１４）、処理を終了する。
【００７６】
なお、広告配信サーバ３は、この後、取得したユーザ情報データベース３１の情報、及び、検索履歴情報データベース３２の情報を用いて、適宜、ユーザの嗜好にあったＷｅｂ広告を配信することができる。
【００７７】
以上、添付図面を参照しながら、本発明に係るユーザ端末１等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７８】
１………ユーザ端末
２………コンテンツサーバ
３………広告配信サーバ
１１………制御部
１２………記憶部
１３………メディア入出力部
１４………通信制御部
１５………入力部
１６………表示部
１７………周辺機器Ｉ／Ｆ部
１８………バス
２１………コンテンツ情報データベース
２２………検索履歴測定タグ
３１………ユーザ情報データベース
３２………検索履歴情報データベース
【図１】
2015011481.tif 000003
【図２】
2015011481.tif 000004
【図３】
2015011481.tif 000005
【図４】
2015011481.tif 000006
【図５】
2015011481.tif 000007
【図６】
2015011481.tif 000008
【図７】
2015011481.tif 000009
【図８】
2015011481.tif 000010
【図９】
2015011481.tif 000011
【図１０】
2015011481.tif 000012
【図１１】
2015011481.tif 000013
【図１２】
2015011481.tif 000014
【図１３】
2015011481.tif 000015
【図１４】
2015011481.tif 000016